(57)【要約】【課題】小型・低背型のリアクトル等に適用する設計及び組付作業も容易な上に安価に製作でき、センサをリアクトル内に高精度に位置決め固定する技術を提供する。【解決手段】本発明の固定構造は、センサ素子２０から所定長のリード２２を含む部分が、リードの硬さよりも硬い材料により被覆され、被覆部分が、該部分から延びるリードの側に折り返された測定部位を測定体に設け、被固定対象物を第１及び第２の部材により構成し、該第１及び第２の部材により測定部位が折り返し端部側から挿入される挿入口と、挿入された測定部位を収納する収納部と、リードが引っ張られたときに被覆部分の先端部が当接することにより抜け止めされる抜け止め部を形成する。また、収納部を第１及び第２の部材間に斜めに形成された空間により構成すると共に、抜け止め部を斜めに形成された空間に対して下側に位置する第１又は第２の部材の一方に形成する。【選択図】図９
2010203998.tif 000002
【特許請求の範囲】
【請求項１】
センサ素子及び該素子から延びるリードを有する測定体を被固定対象物に固定する固定構造であって、
前記センサ素子から所定長の前記リードを含む部分が、前記リードの硬さよりも硬い材料により被覆され、当該被覆部分が、該部分から延びる前記リードの側に折り返された測定部位を前記測定体に設け、
前記被固定対象物を少なくとも第１及び第２の部材により構成し、該第１及び第２の部材により前記測定部位が折り返し端部側から挿入される挿入口と、該挿入口から挿入された前記測定部位を収納する収納部とを形成すると共に、前記第１又は第２の部材により前記リードが引っ張られたときに前記被覆部分の先端部が当接することにより抜け止めされる抜け止め部を形成した固定構造において、
前記収納部を前記第１及び第２の部材間に斜めに形成された空間により構成すると共に、前記抜け止め部を前記斜めに形成された空間に対して下側に位置する前記第１又は第２の部材の一方に形成したことを特徴とするリードを有するセンサ素子の固定構造。
【請求項２】
前記測定部位は前記被覆部分が該部分から延びる前記リードに対して下側に向いた状態で前記挿入口から挿入されることを特徴とする請求項１に記載のリードを有するセンサ素子の固定構造。
【請求項３】
前記抜け止め部が、前記被覆部分の先端部が係入して当接する穴形状の係止部により構成したことを特徴とする請求項１又は２の何れか一項に記載のリードを有するセンサ素子の固定構造。
【請求項４】
前記係止部が、前記挿入口の下側の該挿入口の近傍位置に形成されていることを特徴とする請求項３に記載のリードを有するセンサ素子の固定構造。
【請求項５】
前記リードが、弾性を有する材料により形成されていることを特徴とする請求項１乃至４の何れか一項に記載のリードを有するセンサ素子の固定構造。
【発明の詳細な説明】
【技術分野】
【０００１】
本発明は、センサ素子及び該素子から延びるリードを有する測定体を被測定体に固定する固定構造に関し、特に、サーミスタを小型・低背型のリアクトルに固定するのに好適な固定構造に関する。
【背景技術】
【０００２】
リアクトルは、一般に巻線であるコイルと磁性体のコアを備え、コアにコイルが巻回されることによりインダクタンスを得る。従来、リアクトルは、昇圧回路、インバータ回路、アクティブフィルタ回路等に用いられているが、かかるリアクトルとしては、コアと当該コアに巻回されたコイルとを他の絶縁部材等と共に金属等のケース内に収納する構造のものが多く用いられるようになっている（例えば、特許文献１参照）。
【０００３】
例えば、車載用の昇圧回路に用いられるリアクトルにおいては、高電流領域における高いインダクタンス値を得るために所定の巻径と巻数により形成した単独コイル要素を２個並列状に形成し、双方のコイル要素を流れる電流の方向が互いに逆向きになるように連結（接続）した構成のコイルが用いられている。このようなリアクトルでは、高電流を流し続けるとコイルが過熱して電気特性が低下するため、サーミスタ等によりリアクトルの内部温度を測定してコイルが一定温度以上に発熱しないように制御している。即ち、サーミスタ等のセンサ素子が被測定体であるリアクトル内のコイル等の近傍の測温箇所に位置するように、サーミスタ等のセンサ素子及び該素子から延びるリードを有する測定体をリアクトル内に固定してリアクトルの内部温度を測定し、コイルが一定温度以上にならないようにリアクトルに流れる電流を制御している。
【先行技術文献】
【特許文献】
【０００４】
【特許文献１】特開２００３−１２４０３９号公報
【発明の概要】
【発明が解決しようとする課題】
【０００５】
高精度の温度測定が可能なサーミスタ等を備えたリアクトルを安定的に製作するには、個々のリアクトル毎に、先端のサーミスタ等のセンサ素子を含む測定部位を同一箇所に位置決めする必要がある。ところが、測定部位をリアクトル内の測定箇所に直接固定することがほぼ不可能であることから、測定部位以外の部位をリアクトルケース等にネジ止め固定しているため、測定部位を同一箇所に正確に位置決めすることは困難である。また、測定部位以外の部位にネジ係止構造を設ける必要があり、リアクトルの温度測定用部材の大幅なコストアップに繋がる。
【０００６】
しかしながら、このようなセンサ素子等のネジ係止構造を用いることのない簡易な構成で、先端のサーミスタ等のセンサ素子を含む測定体の測定部位を、被測定体であるリアクトル内に高精度に位置決め固定する技術については有効な提案は全くなされていなかったのが実情であった。
そこで、本出願人は、先願である特願２００７−２８４４６７号において、サーミスタから成るセンサ素子から所定長のリードを含む部分が、リードの硬さよりも硬い材料により被覆され、当該被覆部分が、該部分から延びるリードの側に折り返された測定部位を測定体側に設け、一方、被測定体側には、測定部位が折り返し端部側から挿入される挿入口と、該挿入口から挿入された測定部位を収納する収納部と、リードが引っ張られたときに被覆部分の先端部と当接することにより抜け止めする当接部とを設けた固定構造を提案した。この技術によれば、測定部位は被覆及び折り返しにより形成できるので、測定体は簡易な構成となる上に、収納部に収納された測定部位のセンサ素子は、常に被測定体の同一箇所に位置決めされるので、高精度な測定が可能となる。
【０００７】
しかしながら、上記本出願人の技術を改良・発展させ、様々な被測定体において当該被測定体に適した簡易且つ有効な固定構造の開発が望まれ、特に、近年、車載用のリアクトル等において多く用いられるようになった小型・低背型のリアクトル等に適した簡易且つ有効な固定構造の開発が切望される。
【０００８】
本発明の目的は、簡易な構成のセンサ素子及び該素子から延びるリードを有する測定体の測定部位を、被測定体に高精度に位置決め固定することができる技術を提供することにあり、特に、小型・低背型のリアクトル等に適用した場合に、設計及びリアクトル等への組み付け作業も容易である上に比較的安価に製作でき、センサ素子等から成る測定体の測定部位を、被測定体である当該リアクトル内に高精度に位置決め固定することができる技術を提供することにある。
【課題を解決するための手段】
【０００９】
本発明者は、上述した本出願人の先願である特願２００７−２８４４６７号に記載の技術を小型・低背型の被測定体に適するように改良し、設計及び小型・低背型の被測定体への組み付け作業も容易である上に比較的安価に製作でき、測定体の測定部位を、当該小型・低背型の被測定体内に高精度に位置決め固定することができる新規な構成の固定構造を見出した。
【００１０】
即ち、上記目的を達成するため、本発明は、センサ素子及び該素子から延びるリードを有する測定体を被固定対象物に固定する固定構造であって、
前記センサ素子から所定長の前記リードを含む部分が、前記リードの硬さよりも硬い材料により被覆され、当該被覆部分が、該部分から延びる前記リードの側に折り返された測定部位を前記測定体に設け、
前記被固定対象物を少なくとも第１及び第２の部材により構成し、該第１及び第２の部材により前記測定部位が折り返し端部側から挿入される挿入口と、該挿入口から挿入された前記測定部位を収納する収納部とを形成すると共に、前記第１又は第２の部材により前記リードが引っ張られたときに前記被覆部分の先端部が当接することにより抜け止めされる抜け止め部を形成した固定構造において、
前記収納部を前記第１及び第２の部材間に斜めに形成された空間により構成すると共に、前記抜け止め部を前記斜めに形成された空間に対して下側に位置する前記第１又は第２の部材の一方に形成したことを特徴とする。
【００１１】
かかる構成によれば、測定部位は被覆及び折り返しにより形成できるので、測定体は簡易な構成となる。また、収納部に一旦収納された測定部位の被覆部分は、リードを引っ張ったときに抜け止め部により抜け止めされ、更にリードの硬さよりも硬い材料で成るため変形し難いので、収納部から抜け出てしまうことを防止することができる。そして、収納部に収納された測定部位のセンサ素子は、常に被測定体の同一箇所に位置決めされるので、高精度な測定が可能となる。
【００１２】
また、かかる構成によれば、収納部を前記第１及び第２の部材間に斜めに形成された空間により構成すると共に、前記抜け止め部を前記斜めに形成された空間に対して下側に位置する前記第１又は第２の部材の一方に形成したので、被固定対象物が小型・低背化され測定体の設置スペースが十分確保できない場合でも、設定が大変容易である。測定体が小型・低背型のものであり、収納部が水平に近い斜めになっても測定体を収納部に挿入し易いので、組込み作業が容易である。
【００１３】
このように被固定対象物が小型・低背化され測定体の設置スペースが十分確保できない場合でも、組込み作業の安定化、設計工数削減が可能な固定構造とすることができる。
【００１４】
尚、前記測定部位は前記被覆部分が該部分から延びる前記リードに対して下側に向いた状態で前記挿入口から挿入されるのが望ましい。
【００１５】
また、前記抜け止め部が、前記被覆部分の先端部が係入して当接する穴形状の係止部により構成するのが好適である。
【００１６】
更に、前記係止部が、前記挿入口の下側の該挿入口の近傍位置に形成されているのが好適である。
【００１７】
更にまた、前記リードが、弾性を有する材料により形成されているのが望ましい。
【図面の簡単な説明】
【００１８】
【図１】特願２００７−２８４４６７号に記載の技術を用いてサーミスタが固定されたリアクトルの斜視図である。
【図２】図１に示すリアクトルの仕切り板での断面図である。
【図３】図１に示すサーミスタ単体の図である。
【図４】図１に示すボビン及びコイル仕切り板のみの斜視図である。
【図５】図４の仕切り板での断面図である。
【図６】（Ａ）、（Ｂ）、（Ｃ）は、特願２００７−２８４４６７号に記載の技術を用いてコイル仕切り板にサーミスタを固定する作業手順を示す図である。
【図７】特願２００７−２８４４６７号に記載の技術を用いた別形態の仕切り板での断面を図５に対応させて示す図である。
【図８】本発明の実施形態が適用されるリアクトルの斜視図である。
【図９】本発明の実施形態に係る固定構造を示す図であり、図８に示したリアクトルのＡ−Ａ線から見た断面図に相当する。
【図１０】図９に示す本発明の実施形態に係る固定構造の比較例として示す、本発明者が案出した他の固定構造を示す図であり、図８に示したリアクトルのＡ−Ａ線から見た断面図に相当する。
【発明を実施するための形態】
【００１９】
まず、本発明の実施形態を説明する前に、上述した本出願人の先願である特願２００７−２８４４６７号に記載の技術の概要を、図１乃至図７を参照して説明しておく。本願発明は、この特願２００７−２８４４６７号に記載の発明の改良発明であり、発明の基本的な構成部分には、以下に述べる特願２００７−２８４４６７号記載の発明と共通するものがある。
【００２０】
図１は、特願２００７−２８４４６７号に記載の技術を用いてサーミスタが固定されたリアクトルの斜視図、図２は、図１に示すリアクトルの仕切り部での断面図である。
【００２１】
このリアクトル１０は、例えば、強制冷却手段を有する機器の電気回路に使用され、リアクトルコイル１１、コイル仕切り部１３ａ、１３ｂが一体化されたボビン１５ａ、１５ｂ、リアクトルコア１７、サーミスタ２０及び図示しない熱伝導性ケースや絶縁兼放熱シート等を含んでいる。リアクトルコイル１１は、単独コイル要素を２個並列状に形成した構成となっている。ボビン１５ａ、１５ｂは、図４に示すように、フランジ部１５ａａ、１５ｂａと、各フランジ部１５ａａ、１５ｂａに一体化された２つのボス部１５ａｂ、１５ｂｂを備え、各ボス部１５ａｂ、１５ｂｂが対向配置される構成となっている。コイル仕切り部１３ａ、１３ｂは、ボビン１５ａ、１５ｂの２つのボス部１５ａｂ、１５ｂｂ間に配置され、各フランジ部１５ａａ、１５ｂａに一体化された構成となっている。リアクトルコア１７は、上面視略オーバル状となるように形成されており、リアクトルコイル１１内に挿入可能に構成されている。
【００２２】
このリアクトル１０は、リアクトルコイル１１内にボビン１５ａ、１５ｂの２つのボス部１５ａｂ、１５ｂｂが挿入されると共に、リアクトルコイル１１間にコイル仕切り部１３ａ、１３ｂが挿入され、リアクトルコイル１１の両端側がボビン１５ａ、１５ｂの２つのフランジ部１５ａａ、１５ｂａで挟持される。そして、ボビン１５ａ、１５ｂの２つのボス部１５ａｂ、１５ｂｂ内にリアクトルコア１７が挿入され、コイル仕切り部１３ａ、１３ｂにサーミスタ２０が固定される。そして、これらが熱伝導性ケース内に絶縁兼放熱シートを介して収納され、充填材が流し込まれて固定される構成となっている。
【００２３】
図３は、図１に示すサーミスタ単体の図、図４は、図１に示すボビン及びコイル仕切り部のみの斜視図、図５は、図４の仕切り部での断面図である。
【００２４】
サーミスタ２０は、図３に示すように、サーミスタ素子２１及び該素子２１から延びるリード２２を有する。更に、サーミスタ素子２１から図示点線で示す所定長のリード２２ａを含む部分が、樹脂チューブ２３により被覆されている。そして、この樹脂チューブ２３で被覆されたサーミスタ素子２１及びリード２２ａの部分が、該チューブ２３から延びるリード２２の側に１８０°の角度に折り返されて、即ちヘアピン形状の折り返し端部２４ａが形成されて、図示一点鎖線で囲まれた測定部位２４を形成している。この測定部位２４の折り返し端部２４ａは、エッジ部分が無いヘアピン形状に形成されているので、断線し難く、挿入口３１に誘い込み易く、かつ収納部３２に挿入し易い。
【００２５】
コイル仕切り部１３ａ、１３ｂには、図４及び図５に示すように、挿入口３１、収納部３２及び当接部３３が設けられている。挿入口３１には、上記測定部位２４が折り返し端部２４ａ側から挿入される。収納部３２には、挿入口３１から挿入された測定部位２４が収納される。当接部３３は、リード２２が引っ張られたときに樹脂チューブ２３の先端部と当接することにより測定部位２４を抜け止めする。
【００２６】
挿入口３１は、図５に示すように、コイル仕切り部１３ａの図示左上端部に形成されている。即ち、コイル仕切り部１３ａの図示左上端部が三角状に切り欠かれており、この切り欠き部分が挿入口３１を形成している。収納部３２は、コイル仕切り部１３ａの図示左側部及び図示左下端部とコイル仕切り部１３ｂの図示右側部の間に形成されている。即ち、上記三角状の切り欠き部分と繋がるコイル仕切り部１３ａの図示左側部が矩形状に切り欠かれており、この切り欠き部分とコイル仕切り部１３ｂの図示右側部で囲まれた部分が収納部３２を形成している。当接部３３は、コイル仕切り部１３ｂの図示右上端部に形成されている。即ち、コイル仕切り部１３ｂの図示右上端部が図示右方向へ延びる爪状に突設されており、この突設部分が当接部３３を形成している。
【００２７】
挿入口３１と当接部３３は、図５に示すように、コイル仕切り部１３ａの図示左上端部とコイル仕切り部１３ｂの図示右上端部に形成されている。このため、挿入口３１の間口ａ（当接部３３の先端とコイル仕切り部１３ａの図示左上端部との距離ａ）と、当接部３３の突設長ｂを調整することにより、測定部位２４を容易に挿入可能な挿入口３１及び樹脂チューブ２３の先端部と確実に当接可能な当接部３３を同時に設計することができる。
【００２８】
また、挿入口３１の上記間口ａ及び収納部３２の間口ｃ（コイル仕切り部１３ａの図示左側部とコイル仕切り部１３ｂの図示右側部との距離ｃ）は、測定部位２４の軸直交方向の寸法ｄ（図３参照）と略同一となるように形成されている。これにより、挿入口３１を通って収納部３２に一旦収納された測定部位２４は、コイル仕切り部１３ａの図示左側部とコイル仕切り部１３ｂの図示右側部とにより軸直交方向に挟持されて強固に保持される。
【００２９】
また、収納部３２の奥行きｅ（当接部３３の下端とコイル仕切り部１３ａの図示左下端部との距離ｅ）は、測定部位２４の軸方向の寸法ｆ（図３参照）と略同一となるように形成されている。これにより、収納部３２に一旦収納された測定部位２４は、当接部３３とコイル仕切り部１３ａの図示左下端部により軸方向の移動が規制され、樹脂チューブ２３の先端部が当接部３３に確実に当接して抜け止めされる。
【００３０】
ここで、測定部位２４の軸方向の寸法ｆは、該測定部位２４の軸直交方向の寸法ｄよりも大きくなるように形成されている。リード２２を引っ張ったときに、測定部位２４の軸方向の寸法ｆが該測定部位２４の軸直交方向の寸法ｄよりも小さいと、当接部３３に当接した樹脂チューブ２３の先端部を支点として測定部位２４が収納部３２内で図示左回りに回転して収納部３２から抜け出てしまうおそれがある。測定部位２４の軸方向の寸法ｆを該測定部位２４の軸直交方向の寸法ｄよりも大きくなるように形成することで、リード２２を引っ張ったとき、測定部位２４はコイル仕切り部１３ａの図示左側部とコイル仕切り部１３ｂの図示右側部収納部に当接するので回転することは無く、測定部位２４が収納部３２から抜け出てしまうことを防止できる。
【００３１】
更に、樹脂チューブ２３が柔らかい材料であると、リード２２を引っ張ったときに折れ曲がって収納部３２から抜け出てしまうおそれがある。そこで、樹脂チューブ２３は、少なくともリード２２より硬い材料で形成する必要がある。更に、樹脂チューブ２３は、サーミスタ素子２１を絶縁保護する必要がある。また、樹脂チューブ２３は、挿入口３１から収納部３２へ挿入容易とするために滑り易い材質である必要がある。以上の観点から、樹脂チューブ２３は、例えばフッ素樹脂製であることが望ましい。
【００３２】
以上では、収納部３２の間口ｃは、測定部位２４の軸直交方向の寸法ｄと略同一となるように形成されているが、測定部位２４の軸直交方向の寸法ｄよりも大きくなるように形成しても良い。この場合、リード２２は、弾性を有する材料により形成する必要がある。これにより、収納部３２の間口ｃが測定部位２４の軸直交方向の寸法ｄよりも大きい場合であっても、樹脂チューブ２３がコイル仕切り部１３ｂの図示右側部に当接するまで開くので、樹脂チューブ２３の先端部は当接部３３に確実に当接し、測定部位２４が収納部３２から抜け出てしまうことを防止できる。
【００３３】
図６（Ａ）、（Ｂ）、（Ｃ）は、特願２００７−２８４４６７号に記載の技術を用いてコイル仕切り部にサーミスタを固定する作業手順を示す図である。
【００３４】
先ず、図６（Ａ）に示すように、樹脂チューブ２３で被覆されたサーミスタ素子２１及びリード２２ａの部分を、該チューブ２３から延びるリード２２の側に１８０°の角度、即ちヘアピン形状に折り返して測定部位２４を形成する。そして、この測定部位２４の折り返し端部２４ａをコイル仕切り部１３ａ、１３ｂに形成されている挿入口３１に向ける。
【００３５】
続いて、図６（Ｂ）に示すように、挿入口３１に測定部位２４を折り返し端部２４ａ側から挿入する。このとき、挿入口３１から収納部３２に繋がるコイル仕切り部１３ａの図示左上部は傾斜した面に形成されており、測定部位２４は該傾斜面に案内されるので、測定部位２４を収納部３２内にスムーズに滑り込ませることができる。
【００３６】
最終的に、図６（Ｃ）に示すように、樹脂チューブ２３の先端部が当接部３３をクリアするまで押し込んで測定部位２４を収納部３２に収納する。これにより、樹脂チューブ２３の先端部が当接部３３に引っ掛かるので、サーミスタ素子２１の位置が固定される。また、リード２２が引っ張られても樹脂チューブ２３の先端部が当接部３３と当接しているので、測定部位２４を抜け止めすることができる。以上のように、この固定構造によれば、従来必要であったサーミスタのリアクトルからの抜け防止用固着剤の塗布工程、硬化工程が不要となるので、サーミスタ２０が固定されたリアクトル１０の製作作業工程を大幅に簡略化することができ、作業ばらつきを減少させることができる。
【００３７】
図７は、別形態の仕切り部での断面を図５に対応させて示す図である。
【００３８】
このコイル仕切り部１４ａ、１４ｂには、挿入口４１、収納部４２及び当接部４３が設けられている。挿入口４１には、上記測定部位２４が折り返し端部２４ａ側から挿入される。収納部４２には、挿入口４１から挿入された測定部位２４が収納される。当接部４３は、リード２２が引っ張られたときに樹脂チューブ２３の先端部と当接することにより測定部位２４を抜け止めする。
【００３９】
図５に示す固定構造とは形成寸法は同一であるが、収納部４２及び当接部４３が傾斜して形成されている点で異なる構成となっている。挿入口４１は、コイル仕切り部１４ａの図示左上端部に形成されている。即ち、コイル仕切り部１４ａの図示左上端部が三角状に切り欠かれており、この切り欠き部分が挿入口４１を形成している。収納部４２は、コイル仕切り部１４ａの図示左側部とコイル仕切り部１４ｂの図示右側部の間に形成されている。即ち、上記三角状の切り欠き部分と繋がるコイル仕切り部１４ａの図示左側部が三角状に切り欠かれていると共に、コイル仕切り部１４ｂの図示右側部が三角状に切り欠かれ
ており、これらの切り欠き部分で囲まれた部分が収納部４２を形成している。当接部４３は、コイル仕切り部１４ｂの図示右上端部に傾斜して形成されている。即ち、コイル仕切り板１４ｂの図示右上端部が図示右斜め下方向へ延びる爪状に突設されており、この突設部分が当接部４３を形成している。
【００４０】
このように収納部４２及び当接部４３を傾斜して形成することにより、小型のリアクトル、即ち高さが低いリアクトルであっても、樹脂チューブ２３、測定部位２４、収納部４２等の寸法を、上述した図５に示す固定構造と同一に形成することができる。このため、大型のリアクトルから小型のリアクトルまで同一の測定部位２４を使用することができる。
【００４１】
さて、本発明者は、以上に述べた本出願人の先願である特願２００７−２８４４６７号に記載の技術を比較的低背型のリアクトル等の被測定体に適するように、更に改良し、設計及び被測定体への組み付け作業等が容易でありながら、測定体の測定部位を、比較的低背型の被測定体内に高精度に位置決め固定することができる、新たな構成の固定構造を案出した。以下、かかる本願発明の実施形態に係る固定構造について、図８乃至図１０を参照して説明する。
【００４２】
図８は、本願発明の実施形態が適用される小型・低背型のリアクトルの斜視図である。図９は、本願発明の実施形態に係る固定構造の仕切り部での断面を示す図であり、図８に示したリアクトルのＡ−Ａ線から見た断面図に相当する。
【００４３】
図８及び図９に示すように、リアクトル１０は、例えば、車載用として、車両内の強制冷却手段を有する機器の電気回路に使用され、車両内の電装部品としての設置スペースの節減等の観点から小型化され、また、その熱伝導性ケース７０の下面が車両内の強制冷却手段（例えば、水冷手段）に面接触されるように設置されるため、底面積が大きくなるように低背型のリアクトルとして構成されている。即ち、リアクトル１０は、上述した特願２００７−２８４４６７号に記載のリアクトルよりも全体として小型・低背型のリアクトルである。このリアクトル１０は、図１に示したリアクトルと同様に、リアクトルコイル１１、コイル仕切り部１４ａ、１４ｂ（図９参照）が一体化されたボビン１５ａ、１５ｂ（図１参照）、リアクトルコア１７、サーミスタ２０（図３参照）、熱伝導性ケース及び図示しない絶縁兼放熱シート等を含んでいる。本実施形態のリアクトル１０は、熱伝導性ケース７０内に収容された状態で図示されている。また、リアクトルコイル１１は、単独コイル要素を２個並列状に形成した構成となっている。一方、ボビン１５ａ、１５ｂは、フランジ部１５ａａ、１５ｂａ（図１参照）と、各フランジ部１５ａａ、１５ｂａにそれぞれ一体化された図示しない各ボス部を備え、各ボス部が対向配置される構成となっており、各ボス部の周囲にリアクトルコイル１１の各コイル要素１１Ａ、１１Ｂが巻回される。コイル仕切り部１４ａ、１４ｂは、ボビン１５ａ、１５ｂの２つのボス部間に配置され、各フランジ部１５ａａ、１５ｂａに一体化された構成となっている。リアクトルコア１７は、上面視略オーバル状となるように形成されており、リアクトルコイル１１内に挿入可能に構成されている。
【００４４】
このリアクトル１０においても、リアクトルコイル１１内にボビン１５ａ、１５ｂの２つのボス部が挿入されると共に、リアクトルコイル１１の２個のコイル要素１１Ａ、１１Ｂ間にコイル仕切り部１４ａ、１４ｂが配置され、リアクトルコイル１１の両端側がボビン１５ａ、１５ｂの２つのフランジ部１５ａａ、１５ｂａで挟持される。そして、ボビン１５ａ、１５ｂの２つのボス部内にリアクトルコア１７が挿入され、コイル仕切り部１４ａ、１４ｂにサーミスタ２０が固定される。そして、これらが熱伝導性ケース７０内に絶縁兼放熱シートを介して収納され、充填材が流し込まれて固定される。実際にリアクトルとして使用される場合には、熱伝導性ケース７０に設けられたネジ穴７０aを介して車載用の機器等にネジ止めされることにより設置されて用いられる。尚、サーミスタ２０及びコイル仕切り部１４ａ、１４ｂには、本発明の特徴的な固定構造の構成部分が形成されている。
【００４５】
本発明者は、上述した本出願人の先願である特願２００７−２８４４６７号に記載の技術、特に、上述した図７に記載の収納部４２及び当接部４３を傾斜させて形成する技術を発展させ、図８に示した本願発明の実施形態に係るリアクトルと同様の低背型のリアクトルに適用し、そのコイル仕切り部１４ａ、１４ｂ等の配置及び形状を設計して上述した挿入口４１、収納部４２、当接部４３をその低背型のリアクトル内に形成し、図３に示したのと同様のサーミスタ２０を含む測定体の測定部位２４を、被測定体である低背型のリアクトル内の挿入口４１から収納部４２内に挿入し、リード２２が引っ張られたときに樹脂チューブ２３の先端部と当接部４３が当接することにより測定部位２４を抜け止めする固定構造の一例を案出し、評価する作業を行ってみた。
【００４６】
図１０は、この一例に係る固定構造を示す図であり、図９に示す本発明の実施形態に係る固定構造の比較例として示す。この図１０も、図９に示す固定構造と同様に、仕切り部での断面を示す図であり、図８に示したリアクトルと同様のリアクトルに適用した場合のＡ−Ａ線から見た断面図に相当する。
【００４７】
図１０に示すように、この一例に係る固定構造は、上述した特願２００７−２８４４６７号に記載のリアクトルよりも更に低背型のリアクトルに適用されており、従って、上述した図７に記載の収納部４２及び当接部４３は、この一例に係る固定構造では、更に傾斜させて形成されている。尚、図１０は、図７に示した固定構造とは表裏逆側からリアクトルを見た断面図となっているが、同様の部材には同様の参照符号を用いて説明する。図１０に示すように、この一例に係る固定構造でも、コイル仕切り部１４ａ、１４ｂに、挿入口４１、収納部４２及び当接部４３が設けられている。特願２００７−２８４４６７号に記載したのと同様の測定部位２４が折り返し端部２４ａ側から挿入口４１に挿入され、収納部４２に収納されている。当接部４３は、リード２２が引っ張られたことにより樹脂チューブ２３の先端部と当接することで、測定部位２４を抜け止めする状態となっている。
【００４８】
図１０に示すように、この一例に係る固定構造では、低背型のリアクトルに適用されていることから、収納部４２は横置きに近い状態、換言すれば、より水平に近い設定となっており、挿入口４１は、コイル仕切り部１４ａの図示左上端部から略中央部分に亘って形成されている。即ち、コイル仕切り部１４ａの図示左側上端部が三角状に切り欠かれており、この切り欠き部分が挿入口４１を形成している。収納部４２は、コイル仕切り部１４ａの図示右下端部とコイル仕切り部１４ｂの下側の図示のように殆どの部分に形成されている。即ち、コイル仕切り部１４ａが三角状に切り欠かれていると共に、コイル仕切り部１４ｂの図示下側の殆どの部分が三角状に切り欠かれており、これらの切り欠き部分で囲まれた部分が収納部４２を形成している。当接部４３は、コイル仕切り部１４ｂの図示左上端部に傾斜して形成されている。即ち、コイル仕切り部１４ｂの図示左上端部が図示左斜め下方向へ延びる爪形状に突設されており、この突設部分が当接部４３を形成している。このように、図１０に示す比較例に係るボビン形状から成る固定構造では、ボビンに爪形状を設定して、ワンタッチではめ込むことによりサーミスタ２０（測定部位２４）をリアクトル１０内に組み込む（位置決め固定する）ことができる。
【００４９】
しかしながら、図１０に示す比較例に係るボビン形状から成る固定構造では、リアクトル自体が小型化・低背化されサーミスタの設置スペースが十分確保できない場合、設定が大変困難である。リアクトルコイル１１の温度を高精度に測定しその発熱を抑制する制御を行うためには、サーミスタ２０はリアクトルコイル１１の略中央位置に対応するように位置決め固定される必要がある。しかしながら、リアクトル１０が小型・低背型のものであり、ボビンにより形成される収納部４２が水平に近い設定になるほどサーミスタ２０（測定部位２４）をリアクトル１０内の収納部４２に挿入しづらいので、組込み作業が困難になってしまう。
【００５０】
また、水平に近い設定になると、組込み作業における挿入時にサーミスタ２０（測定部位２４）をリアクトル１０内の収納部４２に最後まで確実に挿入することができたのか、上部から目視により確認することができない。更に、組込み作業の後の検査時等にサーミスタ２０（測定部位２４）がリアクトル１０内の収納部４２に入っているか、上部から目視により確認することもできない。
更に、図１０に示すように、当接部４３を図示下方向へ延びる爪形状に突設させて形成する必要があるため、金型は通常の型抜き方向（横方向）だけでは済まず、上下方向からの型抜きも必要となるので、下方向からのスライド機構が必要となり、金型の構成が複雑なものとなってしまう結果、金型費用もその分コストが高いものとなる。
【００５１】
また、挿入口４１の間口寸法や収納部４２の奥行寸法等の設計がやや困難であり、特に挿入口４１と当接部４３から構成される挿入部を、一方でサーミスタ２０（測定部位２４）を挿入し易く他方で抜けでないように最適の寸法設定等を行うことが必要となるので、設計工数も増加する。
【００５２】
そこで、本発明者は、リアクトル自体が小型化・低背化されサーミスタの設置スペースが十分確保できない場合でも、組込み作業の安定化、金型費の削減及び設計工数の削減が可能な固定構造を種々検討した結果、図９に示すような本願発明の実施形態に係るボビン形状から成る固定構造を案出した。尚、本実施形態において被固定対象物としてのボビンのコイル仕切り部１４ａ、１４ｂに固定される測定体としてのサーミスタ２０は、前述した図３に示したものと同様である。
そこで、図９に図３をも併せ参照して、本願発明の実施形態に係るリードを有するセンサ素子の固定構造について詳細に説明する。
即ち、本実施形態は、図３及び図９に示すように、センサ素子（サーミスタ素子２１）及び該センサ素子から延びるリード２２を有する測定体（サーミスタ２０）を被固定対象物（ボビンのコイル仕切り部１４ａ、１４ｂ）に固定する固定構造であって、センサ素子（サーミスタ素子２１）から所定長のリード２２ａを含む部分が、リード２２の硬さよりも硬い材料（樹脂チューブ２３）により被覆され、当該被覆部分が、該部分から延びるリード２２の側に折り返された測定部位２４を測定体（サーミスタ２０）に設け、被固定対象物（ボビンのコイル仕切り部１４ａ、１４ｂ）を少なくとも第１（コイル仕切り部１４ａ）及び第２（コイル仕切り部１４ｂ）の部材により構成し、該第１及び第２の部材により測定部位２４が折り返し端部２４ａ側から挿入される挿入口４１０と、挿入口４１０から挿入された測定部位２４を収納する収納部４２０とを形成すると共に、第１（コイル仕切り部１４ａ）又は第２（コイル仕切り部１４ｂ）の部材によりリード２２が引っ張られたときに上記被覆部分の先端部２３ａが当接することにより抜け止めされる抜け止め部４３０を形成した固定構造において、収納部４２０を第１（コイル仕切り部１４ａ）及び第２（コイル仕切り部１４ｂ）の部材間に斜めに形成された空間５００により構成すると共に、抜け止め部４３０をその斜めに形成された空間５００に対して下側に位置する第１（コイル仕切り部１４ａ）又は第２（コイル仕切り部１４ｂ）の部材の一方（コイル仕切り部１４ａ）に形成したことを特徴としている。また、抜け止め部４３０が、上記被覆部分の先端部２３ａが係入して当接する穴形状の係止部により構成したことを特徴とする。更に、当該係止部（４３０）が、挿入口４１０の下側の該挿入口４１０の近傍位置に形成されていることを特徴とする。
【００５３】
即ち、図９に示すように、本願発明の実施形態に係る固定構造では、被固定対象物であるボビンのコイル仕切り部１４ａ、１４ｂを第１の部材としてのコイル仕切り部１４ａ及び第２の部材としてのコイル仕切り部１４ｂにより構成し、これら第１及び第２の部材であるコイル仕切り部１４ａ及びコイル仕切り部１４ｂ間に斜めに形成された空間５００により収納部４２０を構成すると共に、抜け止め部４３０をその斜めに形成された空間５００に対して下側に位置する第１の部材（コイル仕切り部１４ａ）の方に形成している。そして、この抜け止め部４３０は上記被覆部分の先端部２３ａが係入して当接する穴形状の係止部により構成されており、当該係止部（４３０）が挿入口４１０の下側の近傍位置に形成されている。
【００５４】
図９を用いて詳細に述べる。コイル仕切り部１４ａ及び１４ｂ間には、挿入口４１０、収納部４２０が設けられており、収納部４２０はコイル仕切り部１４ａ及び１４ｂ間に斜めに形成された空間５００により構成されている。一方、図１０に示した比較例の固定構造における当接部４３と異なり、本実施形態に係る固定構造では、上記斜めに形成された空間５００に対して下側に位置するコイル仕切り部１４ａ側に、比較例の当接部４３の替わりに係止部４３０が設けられている。そして、上述した図１０に示したのと同様の測定部位２４が折り返し端部２４ａ側から挿入口４１０に挿入され、収納部４２０に収納されている。本願発明の実施形態に係る固定構造では、係止部４３０は、リード２２が引っ張られたことにより樹脂チューブ２３の先端部２３ａと当接するだけではなく、樹脂チューブ２３の先端部２３ａを少なくとも上下で挟み込んで係止する穴形状に形成されている。そして、リード２２が引っ張られると樹脂チューブ２３の先端部２３ａがコイル仕切り部１４ａの斜面に案内されて上昇し係止部４３０の穴内に嵌まり込むことで、測定部位２４を抜け止めする構造となっている。
図９に示すように、本実施形態に係る固定構造では、低背型のリアクトルに適用されていることから、収納部４２０は横置きに近い状態、換言すれば、より水平に近い設定となっており、挿入口４１０は、コイル仕切り部１４ａの図示中央端部とコイル仕切り部１４ｂの先端部（図示左端部）との間に形成されている。即ち、コイル仕切り部１４ａの図示中央端部の図示上側（上面側）が斜めに切り欠かれ、コイル仕切り部１４ｂの図示下側（下面側）が斜めに切り欠かれており、これにより挿入口４１０が形成されている。後述するように、本実施形態に係る固定構造では、サーミスタ２０（測定部位２４）は樹脂チューブ２３を下側に向けた状態で挿入口４１０から収納部４２０内に挿入されるが、この際、特に、コイル仕切り部１４ａの図示中央端部の図示上側（上面側）が斜めに切り欠かれて挿入口４１０が形成されていることから、下側に向いた樹脂チューブ２３が、このコイル仕切り部１４ａの図示中央端部の図示上側（上面側）の斜面を滑るように案内されて収納部４２０内に挿入されるので、サーミスタ２０（測定部位２４）を挿入し易い構造となっている。また、コイル仕切り部１４ａの図示中央より右側部分は緩やかな斜面形状に形成され、特に、係止部４３０付近にはアールがつけられているので、樹脂チューブ２３の先端部２３ａは、このアールにより案内されてスムーズに係止部４３０の穴内に嵌まり込むことができる。
【００５５】
このように、図９に示す本実施形態に係るボビン形状から成る固定構造では、リアクトル自体が小型化されサーミスタの設置スペースが十分確保できない場合でも、設定が大変容易である。リアクトル１０が小型・低背型のものであり、ボビンにより形成される収納部４２０が水平に近い設定になってもサーミスタ２０（測定部位２４）をリアクトル１０内の収納部４２０に挿入し易いので、組込み作業が容易である。また、水平に近い設定になっても、組込み作業における挿入時にサーミスタ２０（測定部位２４）をリアクトル１０内の収納部４２０に最後まで確実に挿入することができたのか、上部から目視により確認することができる。
【００５６】
更に、リアクトル全体を組立てた後もサーミスタ２０（測定部位２４）がリアクトル１０内の収納部４２０に入っているか、上部から目視により確認することができる。即ち、本実施形態に係る固定構造は、リアクトルを組立てた後もサーミスタ素子を目視することができる構造となっている。
【００５７】
更にまた、本実施形態に係る固定構造では、サーミスタ２０（測定部位２４）は樹脂チューブ２３を下側に向けた状態で挿入口４１０から収納部４２０内に挿入され、下側に向いた樹脂チューブ２３がコイル仕切り部１４ａの図示中央端部の図示上側（上面側）の斜面を滑って収納部４２０内に落下する時に「カチッ」と音がするので、音により、また挿入作業を行う作業者の手の感覚によってもサーミスタ２０（測定部位２４）を収納部４２０内に挿入できたことを確認することが可能である。尚、ここで述べる「カチッ」という音や手の感覚によってサーミスタ２０（測定部位２４）を収納部４２０内に挿入できたことを確認し易くするためには、リード２２は、弾性を有する材料により形成するのが望ましい。これにより、挿入時には１８０°の角度、即ちヘアピン形状に折り返されて挿入される測定部位２４の樹脂チューブ２３がコイル仕切り部１４ａの図示中央端部の図示上側（上面側）の斜面から落下する時に、リード２２の弾性により収納部４２０の底部側に向かって勢いよく開くので、樹脂チューブ２３の先端部２３ａがコイル仕切り部１４ａの上述したアール部等に落下して衝突することで「カチッ」という音を確実に発することが可能となる。
【００５８】
このように、本実施形態に係る固定構造では、先ず、図６に示したのと同様に、樹脂チューブ２３で被覆されたサーミスタ素子２１及びリード２２ａの部分を、該チューブ２３から延びるリード２２の側に１８０°の角度、即ちヘアピン形状に折り返して測定部位２４を形成する。そして、この測定部位２４を樹脂チューブ２３が下側に向いた状態で挿入口４１０から収納部４２０内に挿入する。
【００５９】
これにより、下側に向いた樹脂チューブ２３が、このコイル仕切り部１４ａの図示中央端部の図示上側（上面側）の斜面を滑るように案内されて収納部４２０内に挿入されるので、サーミスタ２０（測定部位２４）を容易に挿入することができる。
【００６０】
更に、本実施形態に係る固定構造では、サーミスタ２０（測定部位２４）は樹脂チューブ２３を下側に向けた状態で挿入口４１０から収納部４２０内に挿入され、下側に向いた樹脂チューブ２３がコイル仕切り部１４ａの図示中央端部の図示上側（上面側）の斜面を滑って収納部４２０内に落下する時に「カチッ」と音がするので、音により、また挿入作業を行う作業者の手の感覚によってもサーミスタ２０（測定部位２４）を収納部４２０内に挿入できたことを確認することが可能である。
【００６１】
サーミスタ２０（測定部位２４）を収納部４２０内に挿入できたことを確認したら、続いて、リード２２の末端側をリアクトル１０の図示左上側に引っ張ることにより、樹脂チューブ２３の先端部２３ａを引っ張り方向に戻して係止部４３０に係止させる。この時、樹脂チューブ２３の先端部２３ａは、係止部４３０付近に形成されたアールにより案内されてスムーズに係止部４３０の穴内に嵌まり込むことが可能である。これにより、サーミスタ２０を測温箇所であるリアクトルコイル１１の略中央位置に対応して精度良く位置決めできる上に、測定部位２４を収納部４２０内に確実に収納し、抜け止めを行うことができる。
【００６２】
更に、本実施形態に係るボビン形状から成る固定構造では、図９に示すように、コイル仕切り部１４ａ、１４ｂのそれぞれ図示右端側、左端側を切り欠いて収納部４２０と係止部４３０を同時に形成できるので、換言すれば、図１０に示した比較例に係る固定構造とは異なり、下方向へ延びる爪形状に突設させた当接部を形成する必要がないため、金型は通常の型抜き方向（横方向）だけで済む。そのため、上下方向からの型抜きは不要となるので、下方向からのスライド機構も不要となり、金型の構成も複雑なものとならないので、金型費用もその分コストは増加しない。
【００６３】
また、係止部４３０によりサーミスタ２０を測温箇所であるリアクトルコイル１１の略中央位置に対応して位置決めでき、測定部位２４を収納部４２０内に確実に収納できるので、挿入口４１０の間口寸法や収納部４２０の奥行寸法等の設計はラフで済むことから、設計工数も増加しない。
【００６４】
このように、本実施形態に係るボビン形状から成る固定構造によれば、リアクトル自体が小型化・低背化されサーミスタの設置スペースが十分確保できない場合でも、組込み作業の安定化、金型費削減及び設計工数削減が可能な固定構造とすることができる。
【００６５】
以上、本発明について実施の形態をもとに説明したが、本発明は上記実施形態に限定されるものではなく、特許請求の範囲の要旨を逸脱しない範囲で種々変更することができる。
【産業上の利用可能性】
【００６６】
本発明は、測定体としてのサーミスタを被測定体としてのリアクトルに固定する構造について説明したが、これに限定されるものでは無く、例えば測定体として磁気素子等でも良く、被測定体としてトランス等、その他の電子部品にも広く適用可能である。
【符号の説明】
【００６７】
１０  リアクトル、  １１  リアクトルコイル、
１３ａ、１３ｂ、１４ａ、１４ｂ  コイル仕切り部、
１５ａ、１５ｂ  ボビン、  １７  リアクトルコア、  ２０  サーミスタ、
２１  サーミスタ素子、  ２２、２２ａ  リード、  ２３  樹脂チューブ、
２３ａ  先端部、  ２４  測定部位、  ２４ａ  折り返し端部、
３１、４１、４１０  挿入口、  ３２、４２、４２０  収納部、
３３、４３  当接部、  ４３０  抜け止め部（係止部）
【図１】
2010203998.tif 000003
【図２】
2010203998.tif 000004
【図３】
2010203998.tif 000005
【図４】
2010203998.tif 000006
【図５】
2010203998.tif 000007
【図６】
2010203998.tif 000008
【図７】
2010203998.tif 000009
【図８】
2010203998.tif 000010
【図９】
2010203998.tif 000011
【図１０】
2010203998.tif 000012